(57)【要約】【課題】簡単な構成でバッファ用増幅回路の異常に対処できるようにした放送信号分配装置を提供すること。【解決手段】バッファ用の増幅器２０を備えた分配部２により、放送素材ソース１から供給された本線信号を、本線信号ラインに供給するための本線信号と、この本線信号をモニタするためのモニタ信号ラインに分配するようにした放送信号分配装置において、入力側切替接点部８と出力側切替接点部９を設け、増幅器２０に異常が発生したときには、バイパス回路１０に切り換え、放送素材ソース１から供給された本線信号をバイパス回路１０により本線信号ラインに供給できるようにしたもの。【選択図】図１
2007259066.tif 000002
【特許請求の範囲】
【請求項１】
放送用本線信号の分配をバッファ用増幅回路の出力側で行う方式の放送信号分配装置において、
前記バッファ用増幅回路の入力に設置され、前記放送用本線信号の供給源から前記バッファ用増幅回路の入力にいたる経路を、前記バッファ用増幅回路の入力からバイパス回路の入力に切り換える入力側切替手段と、
前記バッファ用増幅回路の出力に設置され、当該バッファ用増幅回路の出力から放送用機器の入力に至る経路を、前記バッファ用増幅回路の出力から前記バイパス回路の出力に切り換える出力側切替手段とを設け、
前記入力側切替手段と前記出力側切替手段は、前記バッファ用増幅回路に異常が発生したとき連動して前記バイパス回路に切り換えられるように構成されていることを特徴とする放送信号分配装置。
【請求項２】
請求項１に記載の放送信号分配装置において、
前記入力側切替手段の入力側に接続された入力側本線信号検出手段と、前記出力側切替手段の出力側に接続された出力側本線信号検出手段とが設けられ、
前記バッファ用増幅回路に異常が発生したことの検知が、前記入力側本線信号検出手段による検出信号と前記出力側本線信号検出手段による検出信号に差が現れたことにより与えられることを特徴とする放送信号分配装置。
【請求項３】
請求項１に記載の放送信号分配装置において、
前記入力側切替手段と前記出力側切替手段が各々電磁リレーで構成され、
前記バイパス回路に対する切り換えが、これら電磁リレーの常閉接点により与えられることを特徴とする放送信号分配装置。
【発明の詳細な説明】
【技術分野】
【０００１】
本発明は、放送局において、実際に送信される放送素材のモニタなどに使用される放送信号分配装置に係り、特に、番組送出用サーバを用いて自動的に放送プログラムが選択されるようにした放送システムに好適な放送信号分配装置に関する。
【背景技術】
【０００２】
放送システムでは、番組送出用サーバなどの放送素材ソース(放送素材の供給源)から供給される放送素材を送信する際、放送品質保持の見地から、いま現在、放送(オンエア)されている放送素材の画質と音質などを監視するモニタ機能が不可欠であり(例えば、特許文献１参照。)、このため、例えば図３に示す放送信号分配装置を備えた放送装置が従来から知られている。
【０００３】
この図３の場合、図示のように、番組送出用サーバなどの放送素材ソース１から出力された本線信号(オンエア信号ともいう)は、まず分配部２に入力され、ここでｎ(ｎ＝１、２、……、ｎ)本の信号系に分配された上で、そのうちの１番(ｎ＝１)に分配された信号をマスタ調整部３に至る本線信号ラインに本線信号として供給し、ここから本線信号が送信機４に伝送され、アンテナ５から放送電波となって送信されることになる。
【０００４】
一方、分配部２により２番からｎ番に分配された信号は、夫々モニタ信号ラインに出力され、モニタ信号として複数台の画像モニタ６(６2〜６n)の夫々に供給される。そこで、各画像モニタ６には、本線信号による画像が表示され、音声が再生されることになり、この結果、必要な場所で本線信号の画像や音声を監視できるようになり、放送品質の保持が得られることになる。
【０００５】
ところで、この図３の装置では、分配部２に増幅器２０が設けてあり、これにより、放送素材ソース１から分配部２に供給された本線信号は、ここで直ちにｎ本の信号系に分配されのではなく、まず増幅器２０に入力され、この後で分配され、本線信号ラインに出力されるようになっているが、これは、以下の理由による。
【０００６】
近年、放送機器のデジタル化は目覚ましく、放送素材の処理も、従来のアナログ信号による場合からデジタル信号よる処理の方が多くなってきているが、ここで、アナログ信号の場合は、映像信号であっても、周波数帯域の上限が１０ＭＨｚと、それほど広帯域ではく、狭い周波数帯域に収まっている。従って、アナログ信号処理方式の場合は、増幅器２０を用いず、放送素材ソース１から分配部２に供給された本線信号を分配部２で直ちにｎ本の信号系に分配したとしても、特に問題はない。
【０００７】
しかし、デジタル信号の場合は、例えば標準方式のＳＭＰＴＥ規格による２５９Ｍのシリアルデジタル信号の場合でも、既に伝送速度は２７０Ｍｂｐｓであり、これがハイビジョン方式のＳＭＰＴＥによる規格２９２Ｍのシリアルデジタル信号の場合には、１．５Ｇｂｐｓと更に高速度で伝送され、従って、極めて広い周波数帯域になっている。
【０００８】
このため、デジタル信号処理方式の場合、増幅回路を介さずに直接、信号を分配したとすると、信号に反射等が発生して信号が乱れてしまうので、必ず分配用のバッファとなる増幅回路が必要であるとされており、従って、図３の装置では、分配部２に増幅器２０を設け、これをバッファとし、この後で本線信号が複数系に分配されるようにしているのである。
【０００９】
しかし、この図３の装置の場合、増幅器２０が存在する分、障害発生の確率が増してしまう。そして、この増幅器２０に何らかの障害が発生し、出力が得られなくなってしまった場合、サブ系であるモニタ信号の伝送が途切れてしまうのは勿論、これと同時に、メイン系の本線信号もマスタ調整部３に供給されなくなってしまい、放送が中断してしまうことになる。
【００１０】
従って、障害発生の確率抑制の見地に立てば、増幅器２０は無いにこしたことはない。一方、本線信号のモニタは、放送している素材の画質と音質などを監視するという、放送品質の保持には欠かせない重要な機能であり、この見地からすれば、バッファとなる増幅器２０の使用はやむを得ない。
【００１１】
そこで、この図３の装置では、増幅器２０をユニット化しておき、増幅器２０に障害が発生した場合には、係員が当該増幅器のユニットを速やかに交換するという技法が採られているが、しかし、この場合、障害発生時点からユニット交換終了までの間は、モニタ不能になるだけにとどまらず、放送が中断されてしまうことになる。ここで放送の中断は、例えそれが短時間であっても放送品質の著しい低下をもたらしてしまうので、極力排除する必要がある。
【００１２】
そこで、図４に示すように、放送素材ソースと分配部を二重化し、放送素材ソース１Ａと分配部２ＡによるＡ系と、放送素材ソース１Ｂと分配部２ＢによるＢ系を設け、切替器７によりＡ系とＢ系を切り換え、一方の系に障害が発生したら他方の系に切り換えるようにした装置が従来技術として知られている。このとき、切替器７の１番目の出力は、図３の場合と同じく、マスタ調整部３を介して送信機４に供給され、２番目以降は、各々画像モニタ６2 〜６n に出力される。
【００１３】
この図４の従来技術の場合、切替器７は単なるスイッチに過ぎないので、一般的にはかなり高速の動作が可能であり、従って、いま、例えばＡ系の分配部２Ａの増幅器２０Ａに障害が発生したとしても、ほとんど瞬間的にＢ系に切り換えることができるので、このとき分配部２Ｂの増幅器２０Ｂに障害が発生していない限り、本線信号の伝送に途切れが現れることはなく、従って、放送中断が回避できる。
【特許文献１】特開２００４−２７４５６８号公報
【発明の開示】
【発明が解決しようとする課題】
【００１４】
上記従来技術は、構成の複雑化に配慮がされておらず、コストの抑制に問題がある。すなわち、従来技術では、サーバなどの放送素材ソースも含めて二重系にしなければならないので、構成が複雑になり、コストを抑えるのが困難になってしまうのである。
【００１５】
本発明の目的は、簡単な構成でバッファ用増幅回路の異常に対処できるようにした放送信号分配装置を提供することにある。
【課題を解決するための手段】
【００１６】
上記目的は、放送用本線信号の分配をバッファ用増幅回路の出力側で行う方式の放送信号分配装置において、前記バッファ用増幅回路の入力に設置され、前記放送用本線信号の供給ソースから前記バッファ用増幅回路の入力に至る経路を、前記バッファ用増幅回路の入力からバイパス回路の入力に切り換える入力側切替手段と、前記バッファ用増幅回路の出力に設置され、当該バッファ用増幅回路の出力から放送用機器の入力にいたる経路を、前記バッファ用増幅回路の出力から前記バイパス回路の出力に切り換える出力側切替手段とを設け、前記入力側切替手段と前記出力側切替手段は、前記バッファ用増幅回路に異常が発生したとき連動して前記バイパス回路に切り換えられるようにして達成される。
【００１７】
このとき、前記入力側切替手段の入力側に接続された入力側本線信号検出手段と、前記出力側切替手段の出力側に接続された出力側本線信号検出手段とが設けられ、前記バッファ用増幅回路に異常が発生したことの検知が、前記入力側本線信号検出手段による検出信号と前記出力側本線信号検出手段による検出信号に差が現れたことにより与えられるようにしてもよく、ここで、前記入力側切替手段と前記出力側切替手段が各々電磁リレーで構成され、前記バイパス回路に対する切り換えが、これら電磁リレーの常閉接点により与えられるようにしてもよい。
【発明の効果】
【００１８】
本発明によれば、簡単な構成により、モニタ用信号の分配のために設けたバッファ増幅器に障害が発生した場合でも、本線信号が途切れてしまうのが抑えられるので、放送品質の維持に支障なく対応することができる。
【発明を実施するための最良の形態】
【００１９】
以下、本発明による放送信号分配装置について、図示の実施の形態により詳細に説明する。
【００２０】
まず、始めに、本発明の基本的な構成と動作原理について、図１の一実施の形態により説明すると、この図において、８は入力側切替接点部、９は出力側切替接点部、１０はバイパス回路で、その他の部分は、図３で説明した装置と同じであり、従って、この図１の実施形態は、図３の装置において、入力側切替接点部８と出力側切替接点部９、それにバイパス回路１０を付加したものに相当する。
【００２１】
そこで、この図１の場合、出力側切替接点部９は、図示されていないが、図３と同じくマスタ調整部３を介して送信機４に接続され、分配部２の２番目以降の出力は、各々画像モニタ６2 〜６n に接続されていることになる。
【００２２】
そして、まず入力側切替接点部８は、図示してない第１のリレー(電磁継電器)の常開接点ａと常閉接点ｂ、それに切替接点ｃで構成され、番組送出用サーバなどの放送素材ソース１の出力を分配部２の入力とバイパス回路１０の入力に切り換える働きをし、次に出力側切替接点部９は、図示してない第２のリレーの常開接点ａと常閉接点ｂ、それに切替接点ｃで構成され、本線信号ラインに至る経路を分配部２の出力とバイパス回路１０の出力に切り換える働きをする。
【００２３】
このとき上記した第１のリレーと第２のリレーは連動して動作が制御される。なお、ここで、まず常開接点とは、リレーが動作したとき閉じ、動作していないときは開いたままになっている接点のことで、このためメーク接点とも呼ばれるものであり、次に常閉接点とは、リレーが動作していないとき閉じていて、動作したときには開かれてしまう接点のことで、このためブレーク接点とも呼ばれるものである。そして、切替接点とは、接点間で切り換え移動する接点のことで、このため可動接点又はトランスファー接点とも呼ばれるものである。
【００２４】
従って、この図１には、双方のリレーが動作したときの各々の接点部８、９の状態が示されていることになる。そして、この実施形態では、増幅器２０の動作が常時監視されていて、障害が発生されていない間は第１と第２のリレーのコイルに通電されているように構成されている。
【００２５】
そこで、増幅器２０が正常に動作しているときは、入力側切替接点部８と出力側切替接点部９は、何れも図示の状態、つまり切換接点ｃが常開接点ａに閉じられていることになり、この結果、放送素材ソース１から出力されている本線信号は、増幅器２０の存在により正常に本線信号とモニタ用の信号に分配され、従って、モニタによる監視のもとで本線信号の放送が得られることになる。
【００２６】
しかして、いま、何らかの理由により、増幅器２０に異常が発生し、伝送に障害が生じてしまったとする。そうすると、この場合は、上記した異常検知により第１と第２のリレーに対する通電が停止されてしまうので、入力側切替接点部８と出力側切替接点部９は、何れも図示の状態とは反対の位置に、つまり切換接点ｃが常開接点ａから常閉接点ｂに切り換わった位置に戻ってしまう。
【００２７】
この結果、このときも本線信号ラインに対する本線信号の供給に途切れが生じてしまうことはなく、本線信号のモニタができなくなってしまうだけで、ほとんどそのまま放送が継続されることになる。
【００２８】
このとき、図３の装置で説明したように、この実施形態でも増幅器２０がユニット化されている。そこで、異常が発生してバイパス回路１０に切り換わったら、この間に係員がユニット化されている増幅器２０を交換し、この後、異常検知をリセットしてやれば、自動的にリレーの動作が図１の状態に戻り、通常のモニタによる放送に復帰させることができる。
【００２９】
従って、この実施形態によれば、分配部の障害発生に際しても、増幅回路ユニットの交換に要した短時間の間でのモニタ機能の喪失だけで放送の継続が可能になるので、放送品質に与える影響を最小限に抑えることができ、増幅回路が分配部に存在することによる利点を享受しながら当該増幅回路の異常に対処することができる。
【００３０】
次に、図２は、本発明の実施形態の詳細で、これは、図１の実施形態において、放送素材ソース１の出力には第１の検出器２１を設け、出力側切替接点部９の出力には第２の検出器２２を設け、更に分配部２の第１番目の出力には第３の検出器２３を設けた上で、これらの検出器の検出出力を入力するリレー制御部２５を設け、これにより入力側のリレー２６と出力側のリレー２７を制御し、入力側のリレー２６の接点機構である入力側切替接点部８と出力側のリレー２７の接点機構である出力側切替接点部９を切換動作させるようにしたものである。
【００３１】
ここで、まず、検出器２１、２２、２３は、夫々入力されている信号の振幅低下やクロックの有無、データそのもののエラー検出などにより、必要に応じて入力信号の異常を検出する働きをする。そして、これにより、検出器２１ではソース側の信号異常が検出され、検出器２２では、マスタ調整部３に供給される本線信号の異常が検出され、検出器２３では分配された本線信号の異常が検出されることになる。
【００３２】
このときリレー制御部２５は、このシステム全体を制御する働きをし、まず、動作開始時には、初期設定として、入力側リレー２６と出力側リレー２７の双方に電流を供給し、入力側切替接点部８と出力側接点部９の双方を常開接点ａに切り換えられている状態に、つまり図１に示す状態に保ち、これにより放送素材ソース１から出力されている本線信号が増幅器２０に供給され、分配部２から出力がされているようにしておく。
【００３３】
この初期設定の後、リレー制御部２５は、全ての検出器の検知信号を常時監視する。そして、まず、検出器２１から異常検知信号が入力されたときには、放送素材ソース１から供給されている本線信号に異常が発生したものとし、予め設定してあある所定の信号による障害発生アラーム信号を出力し、例えば警報ランプの点灯や点滅点灯などによりソース異常が報知されるようにする。
【００３４】
また、リレー制御部２５は、検出器２２から異常検知信号が入力されたとき、検出器２１からは異常検知信号が入力されていないことを条件として、増幅器２０に何らかの異常による障害が発生したものとし、ここでリレー２６とリレー２７の双方に対する通電を停止させる。そして、これと共に、増幅器異常を表わす障害発生アラーム信号を出力し、増幅器異常が発生したことの報知と、障害が現れた増幅器情報の報知が与えられるようにする。
【００３５】
そこで、この増幅器異常の報知を受けた係員は、当該報知により障害が発生した増幅器ユニットの特定が得られるので、速やかに増幅器ユニットの交換を行なうことができ、この結果、通常のモニタによる放送に短時間で復帰させることができる。
【００３６】
このとき、リレー制御部２５は、検出器２２の検出信号を監視することにより、本線信号ラインでの信号が正常か否かを知ることができる。そこて、ここでの本線信号に途切れなどの異常が発生した場合には、それを表わす障害発生アラーム信号を出力し、このことが報知されるようにする。
【００３７】
また、バイパス回路１０に切り換わった後は、増幅器２０の入力が入力側切替接点部８により切断されるため、検出器２３は障害を検出し続けることになるので、検出器２２の検出信号が正常になったことにより障害発生の報知が停止されてしまうことはなく、報知の停止は係員などによる復旧後のリセット操作を待つことになる。
【００３８】
このときのリセット操作は、復旧確認後、係員などか復旧ボタンを押すなどの操作により与えられるようにすればよいが、このとき、増幅器ユニットの抜き差しを監視し、新たに増幅器ユニットが差し込まれたことを検出した場合、リセットが自動的に与えられるようにしてもよく、この場合は、障害が発生したユニットを交換するだけで復旧させることができる。
【００３９】
ここで、分配部とバイパス回路の切り換えには電子回路を用いても良いが、電子回路にした場合は、当該回路の素子故障により、障害が発生したり、電源に障害(電源装置の故障、停電等)が発生したとき信号が中継できなくなる。
【００４０】
しかして、上記実施形態のように、リレー(電磁リレー)を用いた場合は、構造が単純で信頼性も高く、また電源が切れた場合、機構的に一方の切換位置に戻るので、これを上記実施形態のように、バイパス側に設定しておけば、電源障害に際しても本線信号ラインには正常な信号が伝送されるようにすることができる。
【図面の簡単な説明】
【００４１】
【図１】本発明による放送信号分配装置の一実施形態を示すブロック構成図である。
【図２】本発明の一実施形態を示す詳細ブロック構成図である。
【図３】従来技術による放送信号分配装置の一例を示すブロック構成図てある。
【図４】従来技術による放送信号分配装置の他の一例を示すブロック構成図てある。
【符号の説明】
【００４２】
１：放送素材ソース(放送素材供給源)
２：分配部
３：マスタ調整部
４：送信機
５：アンテナ
６2〜６n：画像モニタ
７：切替器
８：入力側切替接点部
９：出力側切替接点部
１０：バイパス回路
２０：増幅器(バッファ用の増幅回路)
２１：検出器(第１の検出器)
２２：検出器(第２の検出器)
２３：検出器(第３の検出器)
２５：リレー制御部
２６：入力側リレー
２７：出力側リレー
【図１】
2007259066.tif 000003
【図２】
2007259066.tif 000004
【図３】
2007259066.tif 000005
【図４】
2007259066.tif 000006